(57)【特許請求の範囲】
【請求項１】
ビットデータに対応するピットが形成される光ディスクと、
前記光ディスクを回転させる回転手段と、
前記ディスク上に、前記ピットの中心に対して半径方向に一定のオフセットを有する位置に最大の光強度ピークを持つ光ビームスポットを照射することによって得られる反射光により前記ピットを検出するためトラック接線方向に平行な分割線を有する２分割光検出手段を有し、前記２分割光検出手段の出力の差信号に基づいてデータを再生する再生手段により構成され、
各ピットの長さＰＬｎは次式を満たす値に設定され、
０．６５≦（２・ｆｎＴ・ＰＬｎ）／Ｓｒ１≦１．４０
但し、前記トラック接線方向に測定される各ピットの長さは所定の変調方式における符号長ｎＴに対応した長さで前記光ディスクの半径位置ｒ１に記録された各ピットの最深部の深さをｐｄとしたときに深さｐｄ／２にてＰＬｎ［ｍ］とし、前記半径位置ｒ１における２ｎＴピッチ信号の所定の再生周波数はｆｎＴ［１／ｓ］とし、前記半径位置ｒ１における光ディスクの再生線速度はｓｒ１とする、光ディスク装置。
【請求項２】
再生装置から照射される光ビームスポットによって再生されるビットデータに対応する多数のピットが存在する光ディスクであって、前記光ビームスポットは回転手段により回転される前記光ディスク上の前記ピットを検出するため各ピットの中心に対して半径方向に所定のオフセットを有する位置で最大の光強度を有し、各ピットの長さＰＬｎは次式を満たす値に設定され、
０．６５≦（２・ｆｎＴ・ＰＬｎ）／Ｓｒ１≦１．４０
但し、前記トラック接線方向に測定される各ピットの長さは所定の変調方式における符号長ｎＴに対応した長さで前記光ディスクの半径位置ｒ１に記録された各ピットの最深部の深さをｐｄとしたときに深さｐｄ／２にてＰＬｎ［ｍ］とし、前記半径位置ｒ１における２ｎＴピッチ信号の所定の再生周波数はｆｎＴ［１／ｓ］とし、前記半径位置ｒ１における光ディスクの再生線速度はｓｒ１とする、光ディスク。
【発明の詳細な説明】
【０００１】
【発明の属する技術分野】
本発明は、記録媒体して光ディスクを使用し、特に光ディスクにデータビットに対応するピットが光ディスクの一部あるいは全部に予め記録されて、このピットからなる符号化データ列を光ヘッドにより再生する光ディスク装置および光ディスクに関する。
【０００２】
【従来の技術】
従来、特に書換え型光ディスク装置の高密度化方式として、ランド／グルーブ記録方式がある（例えば特公昭６３−５７８５９号公報を参照）。この方式は、ランドとグルーブの両方に例えば相変化マークを記録する方式であり、ランドとグルーブのいずれか片方にのみマークを記録する方式よりも高密度化を図ることができる。
【０００３】
ところで、書換え型光ディスク装置では、ハードフォーマットの場合には書換え可能なデータ（ユーザデータ等）以外のアドレス情報、回転制御信号などの制御情報は一般的に予めピット（プリピット）としてヘッダ領域に記録されている。なお、ヘッダ領域に対して、書き換え可能データが記録される領域を便宜的に記録領域と呼ぶ。
【０００４】
ランドとグルーブのいずれか片方にのみ記録する方式では、ヘッダ領域はランドまたはグルーブのトラックにのみ設けられている。これに対して、ランド／グルーブ記録方式では、両方のトラックにヘッダ領域が設けられる。しかしながら、ヘッダ領域で各トラック毎にピットが設けられると、ヘッダ領域から情報を再生するときに、隣接トラックのピットからのクロストークが生じて、情報の再生が困難になることがある。
【０００５】
ランド／グルーブ記録方式では、ヘッダ領域のプリピット・パターンをトラック中心に対して左右に一定長ずらして配列し、ランドとグルーブでプリピットパターンを共有する方式が提案されている。この方式を採用した場合、ヘッダ領域のプレピットのトラックピッチは記録領域の２倍となるため、隣接トラックからのクロストークの影響が減少される。この場合、２分割光検出器から得られる差動出力信号（プッシュプル信号）を利用する再生方式が有効である。また、左右にウォブリングされたプリピット列の再生信号振幅を比較することにより光ビームスポットのオフトラック量を検出することもできる。
【０００６】
【発明が解決しようとする課題】
光ディスク装置では、ヘッダ領域にはアドレスＩＤ等の情報が記録されているため、高品質の再生信号が要求される。信号品質を特徴付ける特性パラメータとして、光ディスクの規格ではヘッダ領域の再生信号のアシンメトリ(asymmetry) や変調度が一般的に規定されている。しかしながら、プッシュプル信号に基づいた再生信号のアイパターンにおけるシンメトリ（対称性）の制御について、再生対象であるピットの断面形状や深さなどに依存することが推定されるが、明確な基準は規定されていない。再生信号のシンメトリ制御が不良である場合には、再生信号のジッタの悪化を引き起こし、正確なデータ再生の阻害要因となる。
【０００７】
従って、本発明の目的は、２分割検出器から得られるプッシュプル信号を利用する再生方式を採用し、再生信号のシンメトリ制御に関係するピットの構造を規定できるようにして、再生信号のシンメトリ制御を図ることによりヘッダ領域の正確なデータ再生動作を実現することができる光ディスク装置および光ディスクを提供することにある。
【０００８】
【課題を解決するための手段】
本発明は、光ディスク上にデータビットに対応するマークが外部手段または内部手段により記録されて、前記光ディスク上のトラック接線方向の前記マークの配列に基づいて所定のデータ列を再生する光ディスク装置であって、前記光ディスクを回転させる回転手段と、前記マークを再生する再生手段とを具備し、前記光ディスクの半径位置ｒ１に記録されたマークを再生するときに前記回転手段による前記光ディスクの再生線速度をＳr1［ｍ／ｓ］とし、前記光ディスクの前記半径位置ｒ１における所定のチャネルビットレートをｆT ［ｂ／ｓ］とし、前記マークはｎチャネルビット長に対応するデータを記録したものとし、前記マークのトラック接線方向の長さをＰＬ［ｍ］とした場合に前記ＰＬを、
「０．５５≦（ｆT ・ＰＬ）／（ｎ・Ｓr1）≦１．５０」
の条件式を満たすように設定することを特徴とする光ディスク装置を提供する。
【０００９】
即ち、再生動作時に光ディスクを回転させたときの再生線速度をＳr1［ｍ／ｓ］とし、その再生線速度における所定のチャネルビットレートをｆT ［ｂ／ｓ］とし、ｎチャネルビット長に対応して記録されたピットのトラック接線方向の長さをＰＬ［ｍ］とした場合に、ＰＬを次式の条件
０．５５≦（ｆT ・ＰＬ）／（ｎ・Ｓr1）≦１．５０
を満たすように設定する。
【００１０】
ここで、設定するピットの長さＰＬは、ピットの最深部の深さをｐｄとしたときに、深さｐｄ／２におけるトラック接線方向のピット長である。特に、最密信号（例えばＤＶＤで採用されている８−１６変調方式の場合の３Ｔ信号）の場合のピット長ＰＬは、アシンメトリとの関係に基づいて、前記式を満たすように厳密に設定される必要がある。
【００１１】
このようなピット長ＰＬのプリピット・パターンを、光ディスク上のヘッダ領域に記録することにより、２分割光検出器からの差動信号に基づいた再生方式では、アシンメトリの良好な再生信号を得ることができる。従って、結果的にヘッダ領域から情報を確実に再生することができる。
【００１２】
本発明は、所定の変調方式における符号長ｎＴに対応した長さで光ディスクの半径位置ｒ１に記録されたピットについて、最深部の深さをｐｄとした場合の深さｐｄ／２におけるトラック接線方向のピットの長さをＰＬｎ［ｍ］とし、半径位置ｒ１における２nT周期信号の所定の再生周波数をｆnT［１／ｓ］とし、半径位置ｒ１における光ディスクの再生線速度をＳr1［ｍ／ｓ］とし場合に次式の条件
ＰＬ＝０．５５≦（２・ｆnT・ＰＬｎ）／Ｓr1≦１．５０
を満たすように設定する光ディスク装置を提供する。
【００１３】
【発明の実施の形態】
以下図面を参照して本発明の実施例を説明する。
先ず、図１を参照して本実施例に係る光ディスク装置について説明する。
光ディスク装置は、ランド／グルーブ記録方式を採用した書換え型光ディスク装置であり、図２に示すように、ヘッダ領域では制御情報などがプリピット・パターン（プリピット配列）で記録されている光ディスクを使用するものと想定している。
【００１４】
光ディスク装置は、光ディスク１０を回転させるスピンドルモータ１１と、スピンドルモータ１１を駆動させるスピンドルモータ駆動回路１２と、光ヘッド１３と、ＬＤドライバ（レーザダイオードドライバ）１８と、アンプ２１と、差動アンプ２５と、サーボ制御回路２２と、信号処理回路２６と、システムコントローラ２８とを備えている。光ディスク１０の記録面２０には、図２に示すような記録領域とヘッダ領域とが設けられている。ヘッダ領域には、後述するように、プリピット列の中で、図３に示すような構造のピットが記録されている。
【００１５】
光ヘッド１３は、半導体レーザ１４と、コリメートレンズ１５と、対物レンズ１６と、アクチュエータ１７と、偏光ビームスプリッタ１９と、１／４波長（λ／４）板２９、集光レンズ２３と、２分割光検出器２４とを有する。半導体レーザ１４は、ＬＤドライバ１８により駆動されてレーザビームを放射する。コリメートレンズ１５は半導体レーザ１４からのレーザビームを平行光に変換する。
【００１６】
この平行光は偏光ビームスプリッタ１９および１／４波長板２９を透過し、対物レンズ１６に入射する。この対物レンズ１６により、光ビームが光ディスク１０の記録面２０上に収束される。ここで、図示しない光学系・電気系により、記録面２０上に収束された光ビームの目標トラックからの半径方向のずれをトラッキング誤差信号として、また記録面からの垂直方向のずれをフォーカス誤差信号としてアンプ２１に出力する。このアンプ２１により増幅された誤差信号はサーボ制御回路２２に入力される。サーボ制御回路２２は、それぞれのずれ量に応じた駆動信号を生成して、アクチュエータ１７を駆動制御して対物レンズ１６の位置を変化させて、光ビームスポットが目標位置に照射されるように制御する。ここで、光ビームスポットは、図２に示すように、光ディスクの記録領域ではランド３２及びグルーブ３３の中心に位置するように制御される。また、この光ビームスポットは、ヘッダ領域では、ヘッダ領域を走査する直前に半径位置をホールドされて、プリピット３１の中心から記録領域のトラックピッチの２分の１に相当する量だけずれた位置を走査するように制御される。
【００１７】
一方、光ディスク１０より反射された光ビームは、対物レンズ１６を経て１／４波長板２９を透過して偏光ビームスプリッタ１９により反射されて集光レンズ２３に入射される。この集光レンズ２３により、ここではヘッダ領域からの光ビームが２分割光検出器２４に集光される。２分割光検出器２４は、図４に示すように光ディスク上のトラック接線方向に平行な分割線２４ｃを中心として、２分割された受光領域２４ａ，２４ｂを有する。なお、２分割光検出器２４はヘッダ領域の信号検出専用またはトラッキング誤差信号検出用やＲＦ信号検出用との兼用でもよい。差動アンプ２５は受光領域２４ａ，２４ｂからの出力信号から差信号（プッシュプル信号）を、信号処理回路２６に出力する。信号処理回路２６は所定の復調処理を含む信号処理を実行して、ヘッダ領域に記録された制御情報に対応する再生信号を生成してシステムコントローラ２８に出力する。
【００１８】
本発明の要点は、後述するように、ピットの構造要素の中でトラック接線方向の長さ（ピット長ＰＬ）を、再生信号の信号品質を規定するアシンメトリＡＳが良好になるように設定することにある（図３を参照）。
【００１９】
ここで、再生信号の信号品質を定量的に評価する方法として、プリピット列の最密信号と最粗信号の対称性を表す指標であるアシンメトリＡＳを測定
する方法が周知である。
【００２０】
図５は再生信号波形のアシンメトリＡＳの定義を示す図である。図５に示すように、アシンメトリＡＳは、ある変調方式における最短符号長信号（最密信号、例えばＤＶＤに使用される８−１６変調方式の場合の３Ｔ信号）の再生信号の最大レベルと最小レベルをそれぞれImin  Ｈ，Imin  Ｌとし、最長符号長信号（最粗信号、例えばＤＶＤに使用される８−１６変調方式の場合の１４Ｔ信号）の再生信号の最大レベルと最小レベルをそれぞれImax  Ｈ，Imax  Ｌとしたとき、下式（１）で表現される。「ｎＴ」とはｎチャネルビットの時間間隔である。
【００２１】
ＡＳ＝［（Imax  Ｈ＋Imax  Ｌ）−（Imin  Ｈ＋Imin  Ｌ）］／［２（Imax  Ｈ−Imax  Ｌ）］                  …（１）
光ディスクの規格によっては、アシンメトリを数値化するために他の式を用いる場合もあるが、それらはその極性を除いては本質的に等価である。
【００２２】
前述したように、再生信号の信号品質を決定する要素として、特にアシンメトリＡＳが所定の規定範囲内にあることが高品質の再生信号を得る条件となる。この規定範囲とは、具体的には図６に示す特性図において、光ディスクの物理的特性のマージンや光学ディスク駆動装置の製造マージンなどを考慮すると、「−０．１５〜０．１５」の範囲であることが望ましい。図６は、ピット長ＰＬとアシンメトリＡＳとの関係を示す特性図ある。即ち、図３に示すプリピット１の構造において、最密信号のトラック接線方向のピット長ＰＬは、このプリピット１を光ヘッド１３により再生したときのプッシュプル信号のアシンメトリＡＳと密接な関係があり、ほぼ反比例の関係にある。この場合、プッシュプル信号とは、前述したように、図２に示すように、光ヘッド１３の光ビームスポット３４がピット中心から半径方向に一定のオフセットを持った位置に照射されたときに、そのピットを再生したときの２分割光検出器２４の差信号である。
【００２３】
ここで、図６は、再生波長６８５ｎｍ、対物レンズ１６の開口数０．６の光学系（光ヘッド１３）において、最密信号をピットピッチＰＰが１．２３μｍの図８に示すような繰り返し信号とし、最粗信号をピットピッチＰＰが５．７４μｍの図８に示すような繰り返し信号とし、最粗信号のピット長は２．８７μｍとしたときの最密信号のピット長ＰＬに対するアシンメトリＡＳの特性図である。
【００２４】
さらに、特性曲線６０Ａは、図９に示すように、断面形状が矩形のピット１の構造に対応するものである。また、特性曲線６０Ｂは、図３に示すように、断面形状が台形であり、壁面角度θが半径方向、トラック接線方向とも約３０度のピット１の構造に対応する。なお、ピットの深さｐｄは９０ｎｍである。ここで、本実施例では、ピット長ＰＬとは、ピットの深さｐｄに対して、半値「ｐｄ／２」の位置でのトラック接線方向の長さとする。
【００２５】
図９に示すような断面形状が矩形のピットでは、深さｐｄを９０ｎｍから変動させても、特性曲線６０Ａがほとんど変化しないことは、結果を示さないが同様の計算により確認されている。さらに、図７は、ピットの断面形状が矩形の場合の特性曲線６０Ａに対して、壁面角度θ及びピット深さｐｄを変化した場合のそれぞれの特性曲線６０Ｂ〜６０Ｅを示している。ここで、特性曲線６０Ｂは壁面角度θが約３０度で深さｐｄが９０ｎｍの場合である。同様に、特性曲線６０Ｃは壁面角度θが約４５度で深さｐｄが７０ｎｍの場合であり、特性曲線６０Ｄは壁面角度θが約３０度で深さｐｄが７０ｎｍの場合である。さらに、特性曲線６０Ｅは壁面角度θが約３０度で深さｐｄが３０ｎｍの場合である。特性曲線６０Ａ〜６０Ｅより、壁面角度θが同じならば、深さｐｄが深いほどグラフ上において左方へシフトしている。また、深さｐｄが同じならば、壁面角度θが低いほど、矩形の場合を基準として、グラフ上において左方へシフトしている。従って、図３に示すようなピット構造では、壁面角度θが３０度以上（９０度以下）で、深さｐｄが９０ｎｍ以下のピットでは、特性曲線は特性曲線６０Ｂから特性曲線６０Ａまでの図６でハッチングにより示した範囲で変化する。
【００２６】
ところで、光ディスク上にピットを形成する場合に、壁面角度θが約３０度以上（９０度以下）が現実的であり、差信号振幅は光学的に深さ（λ／８）で最大となり、深さ（λ／４）で最小となるを考慮すると、この再生光学系では、深さｐｄが９０ｎｍ以下に設定したピットが現実的である。なお、矩形に近い断面形状の場合、ピット深さを（３λ／８）、（５λ／８）の近傍に設定し、深さｐｄを９０ｎｍ以上とすることも考えられるが、本質的には深さを９０ｎｍ以下とした本議論と何ら変わらない。そこで、本実施例では、現実に考えられ得るピット形状に対して、図６において、ハッチングにより示した範囲の特性曲線を想定し、良好なアシンメトリＡＳに対応するピット長ＰＬを設定する。即ち、良好なアシンメトリＡＳとは、前述したように、「−０．１５〜０．１５」の範囲が望ましい。従って、図６から明白なように、ピット長ＰＬを「０．３８０μｍ〜０．８８０μｍ」の範囲に制御する必要がある。図１０は、特性曲線６０Ａ，６０Ｂそれぞれに対して、アシンメトリＡＳ「−０．１５〜０．１５」の範囲に対応するピット長ＰＬを示している。
【００２７】
このようなプリピット１のトラック接線方向のピット長ＰＬと、光ヘッド１３により再生したときのプッシュプル信号のアシンメトリＡＳとの関係において、ピット列を図８に示すようなピットピッチＰＰが１．２３μｍの単一周期信号とし、ピットの再生線速度をＳ［ｍ／ｓ］とした場合、この単一周期信号の再生信号周波数ｆ［１／ｓ］は、下記式（２）のようになる。
【００２８】
ｆ＝Ｓ／（１．２３×１０-6）［１／ｓ］              …（２）
したがって、この場合、ピット長ＰＬを「０．３８０μｍ〜０．８８０μｍ」の範囲に制御することは、下記条件式（３）のように制御することに相当する。
【００２９】
０．６１８≦（２・ｆ・ＰＬ）／Ｓ≦１．４３      …（３）
また、最密信号をピットピッチＰＰが１．０２μｍのピット列とした場合には、アシンメトリＡＳに対するピット長ＰＬの特性曲線６０Ａ，６０Ｂは、図１１に示すようなものとなる。この場合、アシンメトリＡＳの「−０．１５〜０．１５」の範囲に対応するピット長ＰＬは、「０．３０２μｍ〜０．７４５μｍ」となることが図から明らかである。従って、ピットピッチＰＰが１．２３μｍの場合と同様の計算により、この場合、ピット長ＰＬを下記条件式（４）のように制御することに相当する。
【００３０】
０．５９２≦（２・ｆ・ＰＬ）／Ｓ≦１．４６        …（４）
なぜならば、ｆ＝Ｓ／（１．０２×１０-6）となるからである。
以上のような傾向から、前述の現実的なピット形状（壁面角度θが約３０度以上、９０度以下で深さｐｄが９０ｎｍ以下、あるいは壁面角度が９０度に近いときは深さｐｄが９０ｎｍ以上の場合を含む）を想定した場合に、アシンメトリＡＳが良好となるように制御するためには、符号長ｎＴに対応した長さのピットについて、そのピットを再生する半径位置r1における２nT周期信号の所定の再生周波数をｆnT［１／ｓ］とし、半径位置r1における線速度をＳr1［ｍ／ｓ］としたときに、ピット長ＰＬｎは、下記条件式（５）を満たすのが望ましい。
【００３１】
０．５５≦（２・ｆnT・ＰＬｎ）／Ｓr1≦１．５０    …（５）
ここで、前記条件式（５）の代わりに、下記条件式（６）を満たすようなピット長ＰＬでもよい。即ち、再生線速度Ｓr1［ｍ／ｓ］におけるチャネルビットレートをｆT ［ｂ／ｓ］としたときに、ｎチャネルビット長に対応して記録されたピットのピット長ＰＬを次式（６）を満たすように設定する。
【００３２】
０．５５≦（ｆT ・ＰＬ）／（ｎ・Ｓr1）≦１．５０    …（６）
上記の例では、アシンメトリＡＳを「−０．１５〜０．１５」の範囲と設定したが、光ディスクシステムにおけるマージンの配分如何によってこれを「−０．１０〜０．１０」の範囲と限定する場合もある。この場合、    （ｆT ・ＰＬ）／（ｎ・Ｓr1）は次のように設定される。即ち、図６から、ピット長ＰＬは「０．４４５μｍ〜０．８２７μｍ」の範囲に決められる。この範囲にピット長ＰＬを制御することは、下記条件式（７）のように制御することに相当する。
【００３３】
０．７２４≦（２・ｆ・ＰＬ）／Ｓ≦１．３４          …（７）
また、最密信号をピットピッチＰＰが１．０２μｍのピット列とした場合には、良好なアシンメトリＡＳの範囲に対応するピット長ＰＬは、「０．３５４μｍ〜０．６９８μｍ」となることが図１１から明らかである。従って、ピットピッチＰＰが１．２３μｍの場合と同様の計算により、この場合、ピット長ＰＬを下記条件式（８）のように制御することに相当する。
【００３４】
０．６９４≦（２・ｆ・ＰＬ）／Ｓ≦１．３７          …（８）
以上のような傾向から、前述の現実的なピット形状を想定した場合に、アシンメトリを「−０．１０〜０．１０」の範囲に制御するためには、ピット長ＰＬｎは、下記条件式（１０）を満たすのが望ましい。
【００３５】
０．６５≦（２・ｆnT・ＰＬｎ）／Ｓr1≦１．４０      …（９）
ここで、前記条件式（９）の代わりに、下記条件式（１０）を満たすようなピット長ＰＬでもよい。
【００３６】
０．６５≦（ｆT ・ＰＬ）／（ｎ・Ｓr1）≦１．４０    …（１０）
以上のように本実施例によれば、光ディスク上のヘッダ領域に記録するプリピット配列（図２に示すようにトラック中心に対して左右にずらした配列）のピット構造において、ピットの半径方向中心から一定のオフセットを持った位置に照射されたビームスポットにより再生するとき、特に最密信号の各ピットに対して、前記条件式（５）または（６）あるいは式（９）または（１０）を満足するようにピット長ＰＬを設定することにより、２分割光検出器による良好なアシンメトリＡＳのプッシュプル信号を得ることが可能となる。従って、２分割光検出器を使用してプッシュプル信号を生成し、このプッシュプル信号に基づいてデータ再生を行なう再生方式において、高品質の再生信号を得ることが可能となる。これにより、記録領域にはランド／グルーブ記録方式を採用して、ヘッダ領域には図２に示すようなプリピット配列を採用した場合に、ヘッダ領域から高品質の再生信号を得ることができる。従って、ランド／グルーブ記録方式によりデータの高記録密度化を図ることができると共に、ヘッド領域のプリピットパターンから確実に各種の情報を再生する高精度の再生動作を実現することができる。
【００３７】
図１２および図１３はランド／グルーブによるトラックがシングルスパイラル状およびダブルスパイラル状に形成された光ディスク、即ちシングルスパイラルフォーマットおよびダブルスパイラルフォーマット光ディスクをそれぞれ示している。シングルスパイラルフォーマットは、ランドトラック３２およびグルーブトラック３３が開始点Ｐ０から終了点ＰE まで１本のスパイラルトラック４１として形成されるフォーマットである。ダブルスパイラルフォーマットは、ランドトラック３２およびグルーブトラック３３が２本の平行したスパイラルトラックとして形成されるフォーマットであり、この場合、開始点はＰ０Ｇ、Ｐ０Ｌの２つ、終了点がＰE Ｇ，ＰE Ｌの２つとなる。
【００３８】
光ディスク１０は図１４に示されるように両面光ディスクで構成される。即ち、光ディスクは２枚の透明基板５３の間に接着層５５により互いに接着された２枚の記録層５４が介在されて構成されている。光ディスクの各面には中央孔５０、この中央孔の周囲のクランプ領域５１および読み取り面５２が設けられている。この光ディスク１０の記録層５４には図２に示すようにプリピット３１、ランド３２及びグルーブ３３が形成されている。
尚、上記実施例では、光ディスクにピットを形成するものとして説明したが、データビットに対応する各種のマークが光ディスクに形成されてもよい。
【００３９】
【発明の効果】
以上詳述したように本発明によれば、ランド／グルーブ記録方式を採用した書き換え型光ディスク装置において、特にヘッダ領域のプリピット配列に対し、２分割光検出器から得られるプッシュプル信号を使用した再生方式を適用した場合に、良好なアシンメトリＡＳのプッシュプル信号を得ることが可能なピット構造を設定することが可能となる。従って、特にヘッダ領域のプリピット・パターンから各種の情報を再生する場合に、高品質の再生信号を得ることが可能となるため、確実な再生動作を実現することができる。
【図面の簡単な説明】
【図１】本発明の実施の形態に関係する光ディスク装置の要部のブロック図
【図２】光ディスク上に記録されたプリピット・パターンを示す図
【図３】本発明の実施の形態に関係するピットの構造を説明するための図
【図４】光ヘッドに使用される２分割検出器の平面構造を示す図
【図５】再生信号波形のアシンメトリの定義を示す図
【図６】本発明の実施の形態に関係するピット長とアシンメトリとの関係を示す特性図
【図７】本発明の実施の形態に関係するピット長とアシンメトリとの関係を示す特性図
【図８】本発明の実施の形態に関係するピット列を説明するための図
【図９】本発明の実施の形態に関係する断面形状が矩形のピット構造を示す図、
【図１０】本発明の実施の形態に関係するピット長とアシンメトリとの関係を示す特性図
【図１１】本発明の実施の形態にに関係するピット長とアシンメトリとの関係を示す特性図
【図１２】この発明を適用した光記録媒体としてのシングルスパイラルフォーマットの光ディスクの平面図
【図１３】この発明を適用した光記録媒体としてのダブルスパイラルフォーマットの光ディスクの平面図
【図１４】光ディスクの斜視図
【符号の説明】
１０…光ディスク
１１…スピンドルモータ
１２…スピンドルモータ駆動回路
１３…光ヘッド
１４…半導体レーザ
１５…コリメートレンズ
１６…対物レンズ
１７…アクチュエータ
１８…ＬＤドライバ
１９…偏光ビームスプリッタ
２１…アンプ
２２…サーボ制御回路
２３…集光レンズ
２４…２分割光検出器
２５…差動アンプ
２６…信号処理回路
２８…システムコントローラ
【図１】
0003790037.tif 000002
【図２】
0003790037.tif 000003
【図３】
0003790037.tif 000004
【図４】
0003790037.tif 000005
【図５】
0003790037.tif 000006
【図６】
0003790037.tif 000007
【図７】
0003790037.tif 000008
【図８】
0003790037.tif 000009
【図９】
0003790037.tif 000010
【図１０】
0003790037.tif 000011
【図１１】
0003790037.tif 000012
【図１２】
0003790037.tif 000013
【図１３】
0003790037.tif 000014
【図１４】
0003790037.tif 000015